(57)【要約】【課題】本発明は、各円盤状電極の各付け根部間の隙間を沿面放電が発生する状態に接近させて設定していることにより、アークプラズマを長時間維持可能とすることを目的とする。【解決手段】本発明による発射薬用点火装置は、中心電極(1)の先端の第１円盤状電極(2)と、前記中心電極(1)の外周に絶縁材(3)を介して設けられた複数の第２円盤状電極(4)と、前記各円盤状電極(2、4、4…)の各付け根部(10)間の隙間(D)を各円盤状電極(2、4、4…)間で沿面放電が発生する状態に設定されている構成である。【選択図】図１
2006292296.tif 000002
【特許請求の範囲】
【請求項１】
長手形状の中心電極(1)の先端に設けられ前記中心電極(1)の直径よりも大径の第１円盤状電極(2)と、前記中心電極(1)の外周に絶縁材(3)を介して所定間隔で配設された複数の第２円盤状電極(4)と、前記中心電極(1)と前記中心電極(1)に設けられたアース側電極(4a)間に接続された電源(6)とを備え、前記各円盤状電極(2、4、4…)の各付け根部(10)間の隙間(D)が、前記各円盤状電極(2、4、4…)間で沿面放電が発生する状態に設定されていることを特徴とする発射薬用点火装置。
【請求項２】
前記各円盤状電極(2、4、4…)の各付け根部(10)間の隙間(D)は、導電性部材(5)を介して維持されていることを特徴とする請求項１記載の発射薬用点火装置。
【請求項３】
前記各円盤状電極(2、4、4…)間に前記沿面放電が発生する電圧以上の電圧がかかるように前記導電性部材(5)の抵抗値を設定していることを特徴とする請求項１又は２記載の発射薬用点火装置。
【請求項４】
前記各円盤状電極(2、4、4…)の各付け根部(10)間の隙間(D)は、０．０１〜０．５ｍｍであることを特徴とする請求項１ないし３何れかに記載の発射薬用点火装置。
【発明の詳細な説明】
【技術分野】
【０００１】
本発明は、発射薬用点火装置に関し、特に、各円盤状電極の各付け根部間の隙間を沿面放電が発生する状態に接近させて設定していることにより、アークプラズマを長時間維持可能とするための新規な改良に関する。
【背景技術】
【０００２】
従来、用いられていたこの種の発射薬用点火装置としては、例えば、図３及び図４で示される特許文献１の構成を開示することができる。
すなわち、図３において符号１で示されるものは長手形状をなす中心電極であり、この中心電極１の先端には、図４で示されるように戻り回路のための第１円盤状電極２が設けられている。
【０００３】
前記中心電極１の外周には、その全長にわたり絶縁材３が設けられており、この絶縁材３の外周位置には所定間隔で複数の第２円盤状電極４が配設されている。
前記絶縁材３の外周位置でかつ前記各円盤状電極２、４、４・・・間には、各円盤状電極２、４、４・・・間を電気的に接続するための金属箔ないしは導電性塗料等からなる導電性部材５が設けられていると共に、前記中心電極１と端部に位置するアース側電極４ａとの間には、アークプラズマが発生できる容量の電源６が接続されている。
【０００４】
次に、動作について述べる。まず、電源６から供給された電流は、中心電極１を経てこの中心電極１の先端の前記第１円盤状電極２から前記導電性部材５による戻り回路に流れ、前記導電性部材５は全体にわたって溶融・アークプラズマ化し、このアークプラズマは前記中心電極１に流れる反対方向の同じ大きさの電流によって反発力を受け、周辺に飛ばされる。
この場合、一定間隔をおいて配設された各第２円盤状電極４が、アークプラズマが各第２円盤状電極４を離れるまで前記戻り回路を維持するように働くため、アークプラズマ電流が一定期間遮断されることなく周辺へアークプラズマを安定的に供給することができる。
【０００５】
【特許文献１】特開２００２−１５６１９８号公報
【発明の開示】
【発明が解決しようとする課題】
【０００６】
従来の発射薬用点火装置は、以上のように構成されていたため、次のような課題が存在していた。
すなわち、アークプラズマが各円盤状電極を離れるまではプラズマ電流を維持することができるが、離れた時には各導電性部材の抵抗が急激に大きくなり、プラズマ電流が切れ、長時間にわたってプラズマ電流を流し続けることは困難であった。
【課題を解決するための手段】
【０００７】
本発明による発射薬用点火装置は、長手形状の中心電極の先端に設けられ前記中心電極の直径よりも大径の第１円盤状電極と、前記中心電極の外周に絶縁材を介して所定間隔で配設された複数の第２円盤状電極と、前記中心電極と前記中心電極に設けられたアース側電極間に接続された電源とを備え、前記各円盤状電極の各付け根部間の隙間が、前記各円盤状電極間で沿面放電が発生する状態に設定されている構成であり、また、前記各円盤状電極の各付け根部間の隙間は、導電性部材を介して維持されている構成であり、また、前記各円盤状電極間に前記沿面放電が発生する電圧以上の電圧がかかるように前記導電性部材の抵抗値を設定している構成であり、また、前記各円盤状電極の各付け根部間の隙間は、０．０１〜０．５ｍｍとした構成である。
【発明の効果】
【０００８】
本発明による発射薬用点火装置は、以上のように構成されているため、次のような効果を得ることができる。
すなわち、中心電極上に配設した各円盤状電極の各付け根部間の隙間が各円盤状電極間で沿面放電が発生する状態に設定されているため、アークプラズマが各円盤状電極を離れても各円盤状電極間が再点弧し、アークプラズマを長時間にわたり安定して維持することができる。
【発明を実施するための最良の形態】
【０００９】
本発明は、各円盤状電極の各付け根部間の隙間を沿面放電が発生する状態に接近させて設定していることにより、アークプラズマを長時間維持可能とするようにした発射薬用点火装置を提供することを目的とする。
【実施例】
【００１０】
以下、図面と共に本発明による発射薬用点火装置の好適な実施の形態について説明する。
尚、従来例と同一又は同等部分には同一符号を用いて説明する。
図１において符号１で示されるものは長手形状をなす中心電極であり、この中心電極１の先端には、図４で示されるように戻り回路のための第１円盤状電極２が設けられている。
【００１１】
前記中心電極１の外周には、その全周にわたり絶縁材３が設けられており、この絶縁材３の外周位置には所定間隔で断面山形をなす複数の第２円盤状電極４、４・・・が配設されている。
前記絶縁材３の外周位置でかつ前記各円盤状電極２、４、４・・・の各付け根部１０間には、各円盤状電極２、４、４・・・間を電気的に接続するための導電性部材５が設けられていると共に、前記中心電極１と端部に位置するアース側電極４ａとの間には、アークプラズマが発生できる容量の電源６が接続されている。
【００１２】
前記各円盤状電極２、４、４・・・をアークプラズマが離れても、各円盤状電極２、４間が再点弧し、アークプラズマが長時間維持されるようにするために、前記各付け根部１０の隙間Ｄを低い電圧で沿面放電が発生する位（０．０１〜０．５ｍｍ）に接近して配置され、この沿面放電を発生する前記隙間Ｄは前記各円盤状電極２、４間に設けたシート状からなる各導電性部材５の厚さによって維持されるように構成されている。この導電性部材５の抵抗値は、各円盤状電極２、４、４・・・間に沿面放電が発生する電圧以上の電圧がかかるように選択して設定されている。
【００１３】
次に、動作について説明する。まず、中心電極１とアース側電極４ａ間に高電圧を印加すると、中心電極１とアース側電極４ａ間に配置された各円盤状電極２、４、４・・・間に電圧が印加され、前記各円盤状電極２、４、４・・・間の隙間Ｄを形成している各導電性部材５に電流が流れる。
【００１４】
前記電流の値と前記導電性部材５の抵抗値を乗じた値が前記各円盤状電極２、４、４・・・間にかかる電圧になり、この電圧は前記各円盤状電極２、４、４・・・間に沿面放電を発生させるに足る値である。
前記沿面放電によって各円盤状電極２、４、４・・・間はアークプラズマで繋がり、前記アークプラズマ中に流れる電流と中心電極１を逆方向に流れる電流との電磁反発力により前記アークプラズマは外側周辺に向かって放出される。
【００１５】
前記アークプラズマが前記各円盤状電極２、４、４・・・間を離れる時、前記各円盤状電極２、４、４・・・間の電圧が上昇し、前記各付け根部１０の前記導電性部材５の導電性部材表面５ａで沿面放電が発生し、再び、前記各円盤状電極２、４、４・・・間はアークプラズマで繋がり、前述の過程を繰り返すことによって、電源６からの電流が続く限り、各円盤状電極２、４、４・・・間にアークプラズマを維持することができる。
【産業上の利用可能性】
【００１６】
本発明は、発射薬用点火装置だけではなく、電子機器等における光源等としても適用可能である。
【図面の簡単な説明】
【００１７】
【図１】本発明による発射薬用点火装置を示す断面図である。
【図２】図１の要部の拡大断面図である。
【図３】従来の発射薬用点火装置を示す断面図である。
【図４】従来の発射薬用点火装置の戻り回路のための第１円盤状電極を示す側面図である。
【符号の説明】
【００１８】
１    中心電極
２    第１円盤状電極
３    絶縁材
４    第２円盤状電極
５    導電性部材
６    電源
４ａ    アース側電極
Ｄ    隙間
１０    付け根部
【図１】
2006292296.tif 000003
【図２】
2006292296.tif 000004
【図３】
2006292296.tif 000005
【図４】
2006292296.tif 000006